(57)【要約】      （修正有）【課題】内容液を複数の湯飲み茶碗などの器に同時に同一条件で、且つ一度の作業で容易に注ぎ入れる注ぎ口複数容器を提供する。【解決手段】容器本体２に外部より供給するための開口部３を備えた収納室部４を設け、開口部３を塞ぐように配置する中央付近表面に摘まみ部５ａを備えた蓋部５を設け、蓋部５に蓋部５の外周淵と摘まみ部５ａの中間位置付近に孔部５ｓを設け、収納室部４の外側に有る収納胴体部６の表面の適宣位置に取っ手柄部６ａを設け、収納室部４の内側前面位置に外方へ突き出した筒状の注ぎ胴体部７を横並び状に複数設け、各注ぎ胴体部７は上方の先端へ向かって湾曲しながら細くなる既存の急須及び土瓶などの注ぎ口体と同じような形状構成であり、各注ぎ胴体部７の先端に複数の器にそれぞれ同時に注ぎ入れることができる注ぎ口部８をそれぞれ設けて一体形成した注ぎ口複数容器１。【選択図】図１
2017113499.tif 000002
【特許請求の範囲】
【請求項１】
容器本体に外部より供給するための開口部を備えた収納室部を設け、開口部を塞ぐように配置する中央付近表面に摘まみ部を備えた蓋部を設け、蓋部に蓋部の外周淵と摘まみ部の中間位置付近に孔部を設け、収納室部の外側に有る収納胴体部の表面の適宣位置に取っ手柄部を設け、収納室部の内側前面位置に外方へ突き出した筒状の注ぎ胴体部を横並び状に複数設け、各注ぎ胴体部は上方の先端へ向かって湾曲しながら細くなる既存の急須及び土瓶などの注ぎ口体とそれぞれが同じような形状構成であり、各注ぎ胴体部の先端に複数の器にそれぞれ同時に注ぎ入れることができる注ぎ口部をそれぞれ設けて一体形成したことを特徴とする注ぎ口複数容器。
【請求項２】
各注ぎ口部に脱着自在の栓部を設けたことを特徴とする請求項１に記載の注ぎ口複数容器。
【発明の詳細な説明】
【技術分野】
【０００１】  本発明は、注ぎ口の有る急須や土瓶などの容器の注ぎ口複数容器に関するものである。
【背景技術】
【０００２】  従来、注ぎ口の有る急須や土瓶などの容器の注ぎ口は一つであり、夫婦や友人などと二人で茶を飲む際には、二つの湯飲み茶碗に煎じた茶を、交互に数回ずつ注ぎ足すようにして入れる。若しくは、それぞれ別々に一杯ずつ注ぎ入れていた。
尚、注ぎ口の先端部で液切れを確実に行い、仮に注ぎ口の先端に内容液が付着した場合にあっても、内容液を注ぎ口の先端から外側に流れないように内側に引き戻すことができる液体容器の注ぎ口が知られている（特許文献１参照）。
【先行技術文献】
【特許文献】
【０００３】
【特許文献１】特開２０１３−２３３２４６号広報
【発明の概要】
【発明が解決しようとする課題】
【０００４】  自宅で茶を夫婦や友人などの二人で飲む際に、香りや風味と濃淡加減を均一にして、二人が共に美味しく嗜むことができるように、急須や土瓶で煎じた茶を、二つの湯飲み茶碗に、交互に数回ずつ注ぎ足すようにして入れていた。若しくは、それぞれ別々に一杯ずつ注ぎ入れていた。注ぎ口が一つの急須や土瓶などの容器では、複数の湯飲み茶碗などの器へ、同時に同一条件で、且つ一度の作業で茶などの内容液を注ぎ入れることは不可能だった。
本発明は、以上の問題点を解決するためになされたものである。
【課題を解決するための手段】
【０００５】  容器本体に外部より供給するための開口部を備えた収納室部を設け、開口部を塞ぐように配置する中央付近表面に摘まみ部を備えた蓋部を設け、蓋部に蓋部の外周淵と摘まみ部の中間位置付近に孔部を設け、収納室部の外側に有る収納胴体部の表面の適宣位置に取っ手柄部を設け、収納室部の内側前面位置に外方へ突き出した筒状の注ぎ胴体部を横並び状に複数設け、各注ぎ胴体部は上方の先端へ向かって湾曲しながら細くなる既存の急須及び土瓶などの注ぎ口体とそれぞれが同じような形状構成であり、各注ぎ胴体部の先端に複数の器に同時に注ぎ入れることができる注ぎ口部をそれぞれ設けて一体形成したことを特徴とする注ぎ口複数容器。
【発明の効果】
【０００６】  従来不可能とされていた急須や土瓶で煎じた茶を二つの湯飲み茶碗などの器に同時に同条件で、且つ一度の作業で容易に注ぎ入れることを、本発明により可能にし、手間をかけずに二人が共に美味しく茶を飲むことができる。
本発明は、急須や土瓶は勿論、鉄瓶及び薬缶又はティーポット若しくは如雨露などの注ぎ口の有る容器全般に適用して、それぞれの作業の効率化を実現して時間の節約に役立つ。
【図面の簡単な説明】
【０００７】
【図１】本発明の斜視図
【図２】本発明の使用状態を示す斜視図
【図３】本発明の斜視図
【図４】本発明の斜視図
【発明を実施するための形態】
【０００８】  以下、本発明の実施の形態を説明する。
（イ）陶磁器類の注ぎ口複数容器（１）の容器本体（２）に、外部より茶葉や湯水などを      供給するための円状の開口部（３）を備えた収納室部（４）を設ける。
（ロ）開口部（３）を塞ぐように配置する中央付近の表面に手指で持ち上げるための球状      の摘まみ部（５ａ）を備えた蓋部（５）を設ける。
（ハ）蓋部（５）に、蓋部（５）外周淵と摘まみ部（５ａ）の中間位置付近に収納室部（      ４）内の余分な蒸気を放出する孔部（５ｓ）を設ける。
（ニ）収納室部（４）の外側に有る収納胴体部（６）の表面の適宣位置に手で持ち支える      取っ手柄部（６ａ）を設ける。
（ホ）収納室部（４）の内側前面位置に、外方へ突き出した筒状の注ぎ胴体部（７）を横      並び状に複数設け、各注ぎ胴体部（７）は上方の先端へ向かって湾曲しながら細く      なる既存の急須や土瓶の注ぎ口体と、それぞれ同じような形状構成である。
（ヘ）各注ぎ胴体部（７）の先端に、複数の湯飲み茶碗（Ｂ）などの器へ、煎じた茶（Ａ      ）などの内容液を、同時に同一条件で一度で注ぎ入れることができる各注ぎ口部（      ８）をそれぞれ設ける。
（ト）各注ぎ口部（８）を塞いで、茶（Ａ）などの内容液の流出を防ぐ脱着自在の合成ゴ      ム材及び樹脂材などの栓部（９）を設ける。
本発明は、以上のような構造である。
本発明を使用して、例えば夫婦で茶を飲む時は、まず注ぎ口二つの注ぎ口複数容器（１）の蓋（５）を取り、茶葉と湯水を開口部（３）より収納室部（４）内へ投入した後、蓋（５）を閉じて開口部（３）を塞ぎ、必要な時間煎じる。二人分の二つの湯飲み茶碗（Ｂ）を盆やテーブルなどの上に、横並び状に配置して、茶（Ａ）が煎じ終えるのを待つ。
そして、茶（Ａ）を注ぎ出すタイミングが訪れたら、二つの注ぎ口部（８）が、二つの湯のみ茶碗（Ｂ）のそれぞれの中央付近より少し手前位置にくるようにして、従来の急須や土瓶で注ぐのと同じ要領で、注ぎ口複数容器（１）を二つの湯飲み茶碗（Ｂ）側に徐々に傾けて、収納室部（４）内の煎じた茶（Ａ）を、二つの注ぎ口部（８）から二つの湯飲み茶碗（Ｂ）へ、同時に同一条件で注ぎ入れる。
この様に、複数分の煎じた茶（Ａ）を、複数の湯飲み茶碗（Ｂ）に、一度の作業で容易に注ぐことができるので、手間が省けて便利であり、時間の短縮に役立つのは勿論、複数人が共に美味しく同じ状態の茶（Ａ）を嗜むことができる。
また、注ぎ口複数容器（１）で、一つの湯飲み茶碗（Ｂ）などの器に注ぎ入れる場合は、使用しない方の注ぎ口部（８）を、栓部（９）で塞いで、茶（Ａ）などの内容液が流出するのを防ぎ、既存の急須や土瓶と同じ使い方ができる。
更には、注ぎ口複数容器（１）を使用しない間、各注ぎ口部（８）をそれぞれ各栓部（９）で塞いで置けば、埃やゴミの侵入を防ぐことができるので衛生管理に役立つ。
【符号の説明】
【０００９】１注ぎ口複数容器、２容器本体、３開口部、４収納室部、５蓋部、５ａ摘まみ部、５ｓ孔部、６収納胴体部、６ａ取っ手柄部、７注ぎ胴体部、８注ぎ口部、９栓部、Ａ茶、Ｂ湯のみ茶碗
【図１】
2017113499.tif 000003
【図２】
2017113499.tif 000004
【図３】
2017113499.tif 000005
【図４】
2017113499.tif 000006
【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
容器本体に外部より供給するための開口部を備えた収納室部を設け、開口部を塞ぐように配置する中央付近表面に摘まみ部を備えた蓋部を設け、収納室部の外側に有る収納胴体部の表面の適宣位置に取っ手柄部を設け、収納室部の内側前面位置に外方へ突き出した筒状の注ぎ胴体部を横並び状に複数設け、各注ぎ胴体部は上方の先端へ向かって湾曲しながら細くなる形状構成であり、各注ぎ胴体部の先端に複数の器にそれぞれ同時に注ぎ入れることが出来る注ぎ口部をそれぞれ設けて一体形成したことを特徴とする注ぎ口複数容器。